(57)【要約】【課題】触媒の硫黄被毒により触媒の異常判定の精度が低下することを抑制する。【解決手段】酸化性能を有する触媒と、触媒の浄化性能が閾値以上であれば触媒が正常であると判定し、浄化性能が閾値未満であれば触媒が異常であると判定する制御装置であって、触媒の吸湿性に基づいて閾値を変更する制御装置と、を備える。【選択図】図５
2020094500.tif 000002
【特許請求の範囲】
【請求項１】
内燃機関の排気通路に設けられ酸化性能を有する触媒と、
前記触媒の浄化性能が閾値以上であれば前記触媒が正常であると判定し、前記浄化性能が前記閾値未満であれば前記触媒が異常であると判定する制御装置であって、前記触媒の吸湿性に基づいて前記閾値を変更する制御装置と、
を備える内燃機関の排気浄化装置。
【請求項２】
前記制御装置は、前記吸湿性が高いほど、前記閾値を小さくする、請求項１に記載の内燃機関の排気浄化装置。
【請求項３】
前記触媒から流出する排気の温度を検出する温度センサを更に備え、
前記制御装置は、前記内燃機関の冷間始動時点からの前記温度センサの検出値の上昇率に基づいて、前記吸湿性を取得する、請求項１または２に記載の内燃機関の排気浄化装置。
【請求項４】
前記制御装置は、前記内燃機関の冷間始動時点からの前記温度センサの検出値の上昇率が０を含む所定範囲内になる期間に基づいて、前記吸湿性を取得する、請求項３に記載の内燃機関の排気浄化装置。
【発明の詳細な説明】
【技術分野】
【０００１】
本発明は、内燃機関の排気浄化装置に関する。
【背景技術】
【０００２】
フィルタよりも上流側と下流側との差圧の変化速度から算出される粒子状物質（ＰＭ）の酸化速度と、燃料の硫黄濃度が設定値通りであると仮定した場合におけるＰＭの酸化速度と、の差に応じて燃料の硫黄濃度の設定値を補正する技術が知られている（例えば、特許文献１参照。）。この技術は、燃料の硫黄濃度が高いほどＰＭの酸化速度が高くなる現象に基づいている。
【先行技術文献】
【特許文献】
【０００３】
【特許文献１】特開２０１６−１４２２５６号公報
【発明の概要】
【発明が解決しようとする課題】
【０００４】
ここで、燃料に含まれる硫黄成分が酸化触媒に吸着されると、酸化触媒の浄化性能が低下する所謂硫黄被毒が発生する。酸化触媒が劣化しているか否かを判定する異常判定を実施する場合に、硫黄被毒が発生していると、酸化触媒が異常であると判定される虞がある。しかし、貴金属のシンタリング等によって酸化触媒が劣化している場合とは異なり、硫黄被毒は回復することができる。したがって、硫黄被毒が発生していることにより浄化性能が低下している場合に、酸化触媒に異常があると判定されることは好ましくない。
【０００５】
本発明は、上記したような問題点に鑑みてなされたものであり、その目的は、触媒の硫黄被毒により触媒の異常判定の精度が低下することを抑制することにある。
【課題を解決するための手段】
【０００６】
本発明の態様の一つは、内燃機関の排気通路に設けられ酸化性能を有する触媒と、前記触媒の浄化性能が閾値以上であれば前記触媒が正常であると判定し、前記浄化性能が前記閾値未満であれば前記触媒が異常であると判定する制御装置であって、前記触媒の吸湿性に基づいて前記閾値を変更する制御装置と、を備える内燃機関の排気浄化装置である。
【０００７】
吸湿性は、触媒が水を吸着する場合において水の吸着し易さを示す指標である。吸湿性は、例えば、触媒が正常であり且つ触媒に硫黄成分が吸着していないと仮定したときに触媒に吸着される水の量の推定値に対する、実際に触媒に吸着される水の量の比である。また、吸湿性は、例えば、触媒が正常であり且つ燃料の硫黄濃度が設定値であると仮定したときに触媒に吸着される水の量の推定値に対する、実際に触媒に吸着される水の量の比である。触媒に水が吸着されるのは、触媒の温度が比較的低い場合であり、例えば、内燃機関の冷間始動時等であるため、吸湿性はこのようなときに取得してもよい。浄化性能は、触媒が排気を浄化する性能を示す指標である。例えば、排気の特定の成分を検出するセンサを設け、該センサの検出値に基づいて浄化性能を取得してもよい。この浄化性能は、触媒における排気の浄化率に基づいていてもよい。また、浄化性能は、例えば、触媒が正常であり且つ触媒に硫黄成分が吸着していないと仮定した場合にＨＣ（還元剤）を供給したときの触媒における排気の温度の上昇量の推定値に対する、実際にＨＣを供給したときの触媒における排気の温度の上昇量の比である。触媒にＨＣを供給するのは、例えばフィルタの再生時や触媒の温度上昇時であるため、浄化性能はこのようなときに取得してもよい。
【０００８】
触媒に硫黄成分が吸着されると、触媒の吸湿性が高まる。すなわち、触媒に吸着された硫黄成分の量が多くなるほど、触媒により多くの水が吸着される。一方、触媒に吸着された硫黄成分の量が多くなるほど、触媒の浄化性能が低下する。したがって、吸湿性が高い場合には、それに応じて触媒の浄化性能も低下する。この場合の浄化性能の低下は、触媒から硫黄成分を放出させる処理を実施することにより解消可能である。したがって、硫黄被毒による浄化性能の低下分は触媒の異常判定時に除外して考える。すなわち、硫黄被毒による浄化性能の低下に応じて閾値を変更して、浄化性能と閾値とを比較することで触媒の異常判定を実施する。これにより、触媒の硫黄被毒により触媒の異常判定の精度が低下することを抑制できる。
【０００９】
また、前記制御装置は、前記吸湿性が高いほど、前記閾値を小さくしてもよい。
【００１０】
すなわち、触媒に吸着された硫黄成分の量が多いほど、吸湿性が高くなるため、その分、閾値を小さくすることにより、硫黄被毒が触媒の異常判定に及ぼす影響を小さくすることができる。
【００１１】
また、前記触媒から流出する排気の温度を検出する温度センサを更に備え、前記制御装置は、前記内燃機関の冷間始動時点からの前記温度センサの検出値の上昇率に基づいて、前記吸湿性を取得してもよい。
【００１２】
温度センサの検出値の上昇率は、触媒から流出する排気の温度の単位時間当たりの増加量としてもよい。ここで、内燃機関の冷間始動後に触媒から流出する排気の温度が徐々に上昇する過程において、この排気の温度が略一定になる期間が存在する。この現象は、触媒に吸着されていた水が蒸発することにより起こる。この期間では、触媒に流入する排気の温度と、触媒から流出する排気の温度との差が大きくなる。触媒から流出する排気の温度が略一定になる期間は、触媒に吸着されていた水の量と相関関係にある。すなわち、吸湿性と相関関係にある。そのため、内燃機関の冷間始動時点からの温度センサの検出値の上昇率に基づいて、吸湿性を取得することができる。
【００１３】
また、前記制御装置は、前記内燃機関の冷間始動時点からの前記温度センサの検出値の上昇率が０を含む所定範囲内になる期間に基づいて、前記吸湿性を取得してもよい。
【００１４】
温度センサの検出値の上昇率が０を含む所定範囲内になる期間とは、上昇率がほとんど変化しない期間であり、上昇率が０である期間または上昇率が０であると考えても差し支えのない期間である。触媒に吸着されていた水が蒸発している期間は、温度センサの検出値の上昇率が略０になる。したがって、温度センサの検出値の上昇率が０を含む所定範囲内になる期間は、触媒に吸着されていた水が蒸発している期間と考えることができ、この期間の長さは、触媒に吸着されていた水の量と相関関係にあるため、触媒の吸湿性と相関関係にある。したがって、この期間に基づいて、吸湿性を取得することができる。
【発明の効果】
【００１５】
本発明によれば、触媒の硫黄被毒により触媒の異常判定の精度が低下することを抑制できる。
【図面の簡単な説明】
【００１６】
【図１】実施例に係る内燃機関の排気浄化装置の概略構成を示す図である。
【図２】酸化触媒の温度と浄化率との関係を示した図である。
【図３】内燃機関の冷間始動後に酸化触媒に流入する排気の温度と、酸化触媒から流出する排気の温度との推移を示したタイムチャートである。
【図４】酸化触媒における吸湿性と、酸化触媒の浄化性能との関係を示した図である。
【図５】実施例に係る酸化触媒の異常判定を実施するフローを示したフローチャートである。
【発明を実施するための形態】
【００１７】
以下に図面を参照して、この発明を実施するための形態を、実施例に基づいて例示的に詳しく説明する。ただし、この実施例に記載されている構成部品の寸法、材質、形状、その相対配置などは、特に記載がない限りは、この発明の範囲をそれらのみに限定する趣旨のものではない。
【００１８】
＜実施例１＞
図１は、本実施例に係る内燃機関の排気浄化装置の概略構成を示す図である。図１に示す内燃機関１は、ディーゼル機関であっても、また、ガソリン機関であってもよい。内燃機関１は、たとえば車両に搭載される。
【００１９】
内燃機関１には、排気通路２が接続されている。この排気通路２の途中には、排気の流れ方向の上流側から順に、酸化触媒３とフィルタ４とが設けられている。酸化触媒３は、酸化性能を有する触媒であればよく、例えば三元触媒または吸蔵還元型ＮＯｘ触媒であってもよい。フィルタ４は、排気中の粒子状物質（ＰＭ）を捕集する。なお、酸化触媒３は、フィルタ４に担持されていてもよい。
【００２０】
また、酸化触媒３よりも上流の排気通路２には、排気の温度を検出する第一温度センサ１１が取り付けられている。酸化触媒３よりも下流且つフィルタ４よりも上流の排気通路２には、排気の温度を検出する第二温度センサ１２が取り付けられている。なお、第一温度センサ１１により、酸化触媒３に流入する排気の温度を検出することができる。また、第二温度センサ１２により、酸化触媒３から流出する排気の温度を検出することができる。
【００２１】
内燃機関１には、該内燃機関１へ燃料を供給する噴射弁６が取り付けられている。また、内燃機関１には、吸気通路８が接続されている。吸気通路８の途中には、内燃機関１の吸入空気量を調整するスロットル９が設けられている。スロットル９よりも吸気の流れ方向の上流側の吸気通路８には、内燃機関１の吸入空気量を検出するエアフローメータ１４が取り付けられている。
【００２２】
以上述べたように構成された内燃機関１には、該内燃機関１を制御するための電子制御ユニット（コントローラ）であるＥＣＵ１０が併設されている。ＥＣＵ１０は、プロセッサ、主記憶部、補助記憶部を有したコンピュータである。このＥＣＵ１０は、内燃機関１の運転条件や運転者の要求に応じて内燃機関１を制御する。ＥＣＵ１０には、上記センサの他、運転者がアクセルペダル１５を踏み込んだ量に応じた電気信号を出力し機関負荷を検知するアクセル開度センサ１６、および機関回転速度を検知するクランクポジションセンサ１７が電気配線を介して接続され、これら各種センサの出力信号がＥＣＵ１０に入力される。一方、ＥＣＵ１０には、噴射弁６、スロットル９が電気配線を介して接続されており、該ＥＣＵ１０によりこれらの機器が制御される。このときには、プロセッサが、主記憶部上の所定のプログラムを実行する。
【００２３】
ＥＣＵ１０は、フィルタ４に堆積したＰＭを除去する処理であるフィルタ４の再生を行う。ＥＣＵ１０は、フィルタ４に捕集されているＰＭの量が所定量に達すると、酸化触媒３へＨＣ（還元剤）を供給する。酸化触媒３においてＨＣが酸化されると、排気の温度が上昇する。この温度の高い排気をフィルタ４に流通させることにより、フィルタ４の温度
を上昇させることができるので、ＰＭを酸化させてフィルタ４から除去することができる。このように、ＥＣＵ１０は、酸化触媒３へＨＣを供給することで、フィルタ４の再生を行なう。例えば、酸化触媒３よりも上流側に燃料を供給する添加弁を設けることにより、酸化触媒３にＨＣを供給することができる。また、内燃機関１の空燃比を理論空燃比よりも小さな空燃比であるリッチ空燃比に調整することにより、酸化触媒３にＨＣを供給することができる。この場合、スロットル９の開度を調整したり、又は、噴射弁６からの燃料噴射量を調整したりすることにより、空燃比を調整する。
【００２４】
また、ＥＣＵ１０は、酸化触媒３の浄化性能を閾値と比較することにより、酸化触媒３の異常判定を行う。ＥＣＵ１０は、酸化触媒３の浄化性能が、閾値以上であれば酸化触媒３が正常であると判定し、閾値未満であれば酸化触媒３が異常であると判定する。この閾値は、酸化触媒３が正常である場合の浄化性能の下限値である。
【００２５】
本実施例では、酸化触媒３の浄化性能を、酸化触媒３にＨＣを供給したときの、排気の温度の上昇量の推定値に対する、実際の排気の温度の上昇量の比と定義する。排気の温度の上昇量の推定値は、酸化触媒３が正常であり且つ酸化触媒３に硫黄成分が吸着していないと仮定した場合に、酸化触媒３にＨＣを供給したならば、酸化触媒３において排気の温度がどれだけ上昇するのかを推定した値である。酸化触媒３が正常であり且つ酸化触媒３に硫黄成分が吸着していないと仮定した場合とは、例えば、酸化触媒３の劣化の度合いが低いために酸化触媒３が所望の性能を発揮すると仮定したとき、または、酸化触媒３が新品であると仮定したときである。また、酸化触媒３にＨＣを供給したときの実際の排気の温度の上昇量は、実際にＨＣを供給した酸化触媒３における排気の温度の上昇量であり、第二温度センサ１２の検出値から第一温度センサ１１の検出値を減算することにより算出できる。
【００２６】
酸化触媒３の劣化の度合いが高くなるにしたがって、ＨＣを酸化させる能力が低下するため、酸化触媒３にＨＣを供給したときの酸化触媒３における排気の温度の上昇量が低下する。したがって、この排気の温度の上昇量は、酸化触媒３の劣化の度合いと相関関係にある。このため、排気の温度の上昇量に基づいて、浄化性能を取得している。なお、排気の温度の上昇量は、酸化触媒３に流入する排気のＨＣ濃度と相関関係にある。したがって、排気の温度の上昇量の推定値は、排気のＨＣ濃度に基づいて算出される。このＨＣ濃度は、内燃機関１の空燃比（吸入空気量及び燃料噴射量）に基づいて算出することができる。
【００２７】
また、ＨＣを供給したときの酸化触媒３における排気の温度の上昇量は、内燃機関１に供給される燃料量や、排気の流量の影響を受ける。ここで、図２は、酸化触媒３の温度と浄化率との関係を示した図である。排気流量が多いほど、燃料量が多いほど、酸化触媒３の劣化の度合いが高いほど、又は、酸化触媒３の硫黄被毒の度合いが高いほど、図２における矢印の方向に酸化触媒３の温度と浄化率との関係が変化する。したがって、これらを考慮して酸化触媒３における排気の温度の上昇量の推定値を算出する。以上の関係は、予め実験またはシミュレーション等により求めてＥＣＵ１０に記憶させておく。
【００２８】
ＥＣＵ１０は、酸化触媒３の浄化性能を、フィルタ４の再生を行うときに算出する。フィルタ４の再生時には酸化触媒３にＨＣが供給され、このときに酸化触媒３における排気の温度が上昇するため、上記のように浄化性能を算出することができる。
【００２９】
なお、浄化性能は他にも定義が可能である。本実施例における浄化性能は、酸化触媒３が排気を浄化する性能を示す指標であればよい。例えば、酸化触媒３の劣化の度合いは、フィルタ４の再生時におけるフィルタ４よりも上流とフィルタ４よりも下流の差圧と相関関係があるため、この差圧に基づいて浄化性能を取得してもよい。また、ＨＣ等を検出す
るセンサを酸化触媒３よりも下流の排気通路２に取り付けて、このセンサの検出値に基づいて酸化触媒３の浄化性能を取得してもよい。
【００３０】
燃料中の硫黄成分が酸化触媒３に吸着されると、酸化触媒３に硫黄被毒が発生する。この硫黄被毒が発生することにより、酸化触媒３の浄化性能が低下する。このような硫黄被毒による酸化触媒３の浄化性能の低下は、酸化触媒３の温度を上昇させることにより酸化触媒３から硫黄成分を放出させることで解消できる。一方、貴金属のシンタリング等によって浄化性能が低下した場合には、酸化触媒３の浄化性能を回復させることは困難である。したがって、貴金属のシンタリング等が原因で浄化性能が低下した場合に限り、酸化触媒３が異常であると判定することが望ましい。一方、硫黄被毒のみが原因で浄化性能が低下した場合には、酸化触媒３が正常であると判定することが望ましい。そのため、ＥＣＵ１０は、酸化触媒３の異常判定に用いる閾値を以下のように設定する。
【００３１】
ここで、酸化触媒３に燃料中の硫黄成分が吸着されると、酸化触媒３の吸湿性が高くなる。すなわち、酸化触媒３の吸湿性と酸化触媒３に吸着されている硫黄成分の量とは相関関係にあり、したがって、硫黄被毒による浄化性能の低下は酸化触媒３の吸湿性と相関関係にあるといえる。なお、本実施例では、酸化触媒３の吸湿性を、酸化触媒３に吸着される水の量の推定値に対する、実際に酸化触媒３に吸着される水の量の比と定義する。この水の量の推定値は、酸化触媒３が正常であり且つ酸化触媒３に硫黄成分が吸着していないと仮定した場合に、酸化触媒３にどれだけの水が吸着されるのかを推定した値である。この水の量の推定値は、内燃機関１の冷間始動時点からの運転履歴に基づいて推定される。
【００３２】
また、実際に酸化触媒３に吸着された水の量は、内燃機関１の冷間始動後に酸化触媒３から流出する排気の温度に基づいて検出することができる。ここで、内燃機関１の冷間始動後から酸化触媒３の温度が上昇していく過程において、酸化触媒３がまだ活性していない場合（酸化触媒３の温度が例えば１５０℃以下の場合）には、酸化触媒３に吸着されていた水の蒸発熱の影響によって、酸化触媒３の温度が上昇しない時期がある。すなわち、酸化触媒３から流出する排気の温度が略一定になる時期がある。
【００３３】
図３は、内燃機関１の冷間始動後に酸化触媒３に流入する排気の温度と、酸化触媒３から流出する排気の温度との推移を示したタイムチャートである。実線は、酸化触媒３から流出する排気の温度を示し、一点鎖線は、酸化触媒３に流入する排気の温度を示している。そのため、実線は第二温度センサ１２の検出値と考えることができ、一点鎖線は第一温度センサ１１の検出値と考えることができる。酸化触媒３に吸着されていた水は、１００℃付近で酸化触媒３から蒸発するため、１００℃付近において酸化触媒３から流出する排気の温度が略一定になる。そして、図３においてＴ１からＴ２までの期間が、酸化触媒３から流出する排気の温度が略一定になる期間である。この期間は、第二温度センサ１２の検出値の上昇率が０を含む所定範囲内になる期間といえる。
【００３４】
この排気の温度が略一定になる期間は、酸化触媒３に吸着されていた水の量と相関関係にある。すなわち、酸化触媒３に吸着されていた水の量が多いほど、酸化触媒３から流出する排気の温度が略一定になる期間が長くなる。したがって、内燃機関１の冷間始動後に酸化触媒３から流出する排気の温度を第二温度センサ１２により検出し、この検出値が一定になる期間に基づいて、酸化触媒３に吸着されていた水の量を算出することができる。排気の温度が略一定になる期間と、酸化触媒３に吸着されていた水の量とは予め実験またはシミュレーション等により求めることができる。
【００３５】
なお、吸湿性は他にも定義が可能である。本実施例における吸湿性は、酸化触媒３が水を吸着する場合において水の吸着し易さを示す指標であればよい。例えば、酸化触媒３に流入する排気の温度と、酸化触媒３から流出する排気の温度との差に排気の流量を乗算し
た値を積算した値（以下、温度差積算値ともいう。）は、酸化触媒３に吸着されている水の量と相関関係にある。すなわち、酸化触媒３に吸着されている水の量が多いほど、酸化触媒３から流出する排気の温度が略一定になる期間が長くなることにより、温度差積算値が大きくなる。したがって、温度差積算値に基づいて酸化触媒３に吸着されていた水の量を算出することで、吸湿性を取得してもよい。
【００３６】
上記のように推定される酸化触媒３の浄化性能が低い場合には、硫黄被毒または酸化触媒３の劣化が考えられるが、硫黄被毒の場合には、内燃機関１の冷間始動時に酸化触媒３に吸着されていた水の量が多くなる。そのため、浄化性能が低い場合であっても、吸湿性が高い場合には、硫黄被毒により浄化性能が低下していると考えられる。そのため、吸湿性が高い場合には、浄化性能が低い場合であっても酸化触媒３が異常であると判定し難くする。
【００３７】
図４は、酸化触媒３における吸湿性と、酸化触媒３の浄化性能との関係を示した図である。図４の関係に基づいて酸化触媒３の異常判定が実施される。すなわち、図４における閾値よりも低い範囲では、酸化触媒３が異常であると判定され、閾値以上の範囲では、酸化触媒３が正常であると判定される。ここで、吸湿性が高い場合には、燃料の硫黄濃度が高いと考えられる。したがって、酸化触媒３の浄化性能が低下していても、硫黄被毒の影響がより大きいと考えられる。そのため、吸湿性が高いほど、閾値が小さくなるようにしている。すなわち、吸湿性が高いほど硫黄被毒による浄化性能の低下が大きくなるため、その浄化性能の低下分だけ閾値を小さくして酸化触媒３の異常判定を実施する。
【００３８】
図５は、本実施例に係る酸化触媒３の異常判定を実施するフローを示したフローチャートである。本フローチャートは、ＥＣＵ１０により所定時間毎に実行される。ステップＳ１０１では、内燃機関１の冷間始動時であるか否か判定される。第二温度センサ１２の検出値が、冷間始動時であるときの値以下（例えば１５０℃以下）の場合に、内燃機関１の冷間始動時であると判定される。なお、内燃機関１が始動されてからの経過時間が所定時間以内であれば、内燃機関１の冷間始動時であると判定してもよい。ステップＳ１０１で肯定判定された場合にはステップＳ１０２へ進み、否定判定された場合にはステップＳ１０６へ進む。
【００３９】
ステップＳ１０２では、第二温度センサ１２の検出値の上昇率（以下、排気の温度上昇率ともいう。）が所定率以下であるか否か判定される。所定率は、０または０と同等の値であり、酸化触媒３から流出する排気の温度が上昇していないと考えてもよい値である。ステップＳ１０２では、図３におけるＴ１の時刻に達したか否か判定しているといえる。ステップＳ１０２で肯定判定された場合にはステップＳ１０３へ進み、否定判定された場合には本ルーチンを一旦終了する。
【００４０】
ステップＳ１０３では、時間がカウントされ、ステップＳ１０４では、排気の温度上昇率が所定率よりも大きくなったか否か判定される。ステップＳ１０４では、図３におけるＴ２の時刻を超えたか否か判定しているといえる。ステップＳ１０４で肯定判定された場合にはステップＳ１０５へ進み、否定判定された場合にはステップＳ１０３へ戻って時間がカウントされる。
【００４１】
ステップＳ１０５では、酸化触媒３の吸湿性が算出される。さらに、ステップＳ１０５で算出された吸湿性と、図４に示した関係とから、閾値が算出される。ステップＳ１０５では、ステップＳ１０３においてカウントされた時間に基づいて、吸湿性が算出される。ステップＳ１０３においてカウントされた時間と、吸湿性との関係は、予め実験またはシミュレーション等により求めておく。
【００４２】
ステップＳ１０６では、酸化触媒３の浄化性能を算出可能な条件が成立しているか否か判定される。本実施例では、フィルタ４の再生が行われるときに酸化触媒３の浄化性能を算出するため、フィルタ４の再生が行われることを酸化触媒３の浄化性能を算出可能な条件とする。ステップＳ１０６で肯定判定された場合にはステップＳ１０７へ進み、否定判定された場合には本ルーチンを一旦終了させる。
【００４３】
ステップＳ１０７では、酸化触媒３の浄化性能が算出される。そして、ステップＳ１０８では、酸化触媒３の浄化性能が閾値以上であるか否か判定される。ステップＳ１０８で肯定判定された場合にはステップＳ１０９へ進んで、酸化触媒３が正常であると判定される。一方、ステップＳ１０８で否定判定された場合にはステップＳ１１０へ進んで、酸化触媒３が異常であると判定される。
【００４４】
以上説明したように本実施例によれば、酸化触媒３に吸着されている硫黄成分による浄化性能の低下を考慮して酸化触媒３の異常判定を実施するため、より精度の高い異常判定が可能となる。
【符号の説明】
【００４５】
１  内燃機関
２  排気通路
３  酸化触媒
４  フィルタ
６  噴射弁
８  吸気通路
９  スロットル
１０  ＥＣＵ
１１  第一温度センサ
１２  第二温度センサ
【図１】
2020094500.tif 000003
【図２】
2020094500.tif 000004
【図３】
2020094500.tif 000005
【図４】
2020094500.tif 000006
【図５】
2020094500.tif 000007